(57)【要約】  アルコキシ化グリセリン系充填組成物を含む新規な費用効率の高い発射体、および該充填組成物を作る方法。発射体は、ゼラチン、ポリスチレン、ポリオレフィンまたはそれらの混合物から構成され得る。アルコキシ化グリセリンは、精製または未精製グリセリンと、エチレンオキシドのようなアルキレンオキシドの触媒反応生成物であることができる。
2009545720.tif 000002
【特許請求の範囲】
【請求項１】
充填組成物を含む発射体であって、該組成物がアルコキシ化グリセリンを含むことを特徴とする発射体。
【請求項２】
ゼラチン、ポリスチレン、ポリオレフィンまたはそれらの混合物から構成される請求項１に記載の発射体。
【請求項３】
アルコキシ化グリセリンがグリセリンとアルキレンオキシドの反応生成物であることを特徴とする請求項１または２に記載の発射体。
【請求項４】
アルコキシ化グリセリンがグリセリンとアルキレンオキシドの触媒反応生成物であることを特徴とする請求項１〜３のいずれか１項に記載の発射体。
【請求項５】
アルコキシ化グリセリンがグリセリンとアルキレンオキシドの反応生成物であり、そしてその反応が、ＮａＯＨ、ＫＯＨ、二金属シアン化物またはそれらの混合物のうちの１種によって触媒されることを特徴とする請求項１〜４のいずれか１項に記載の発射体。
【請求項６】
グリセリンがバイオディーゼルプロセスの副産物から得られることを特徴とする請求項３〜５のいずれか１項に記載の発射体。
【請求項７】
アルキレンオキシドが、ａ）エチレンオキシド、プロピレンオキシドまたはブチレンオキシドのうちの１種、またはｂ）エチレンオキシド、プロピレンオキシドおよびブチレンオキシドの任意の組合わせの混合物であることを特徴とする請求項３〜６のいずれか１項に記載の発射体。
【請求項８】
アルコキシ化グリセリンが約１：１〜約１：２０のグリセリン：アルキレンオキシドモル比を有することを特徴とする請求項１〜７のいずれか１項に記載の発射体。
【請求項９】
アルコキシ化グリセリンが約１：１〜約１：１０のグリセリン：アルキレンオキシドモル比を有することを特徴とする請求項１〜７のいずれか１項に記載の発射体。
【請求項１０】
アルコキシ化グリセリンが約１：２〜約１：１０のグリセリン：アルキレンオキシドモル比を有することを特徴とする請求項１〜７のいずれか１項に記載の発射体。
【請求項１１】
アルコキシ化グリセリンがエトキシ化グリセリンであることを特徴とする請求項１〜１０のいずれか１項に記載の発射体。
【請求項１２】
エトキシ化グリセリンが約１：２〜約１：７のグリセリン：エチレンオキシドモル比を有することを特徴とする請求項１１に記載の発射体。
【請求項１３】
グリセリン：エチレンオキシドモル比が約１：２．４〜１：６．４であることを特徴とする請求項１１に記載の発射体。
【請求項１４】
グリセリン：エチレンオキシドモル比が約１：４．４であることを特徴とする請求項１１に記載の発射体。
【請求項１５】
該組成物が約１５〜１００質量％のアルコキシ化グリセリンを含むことを特徴とする請求項１〜１４のいずれか１項に記載の発射体。
【請求項１６】
該組成物が約５０〜１００質量％のアルコキシ化グリセリンを含むことを特徴とする請求項１〜１５のいずれか１項に記載の発射体。
【請求項１７】
該組成物が約７５〜１００質量％のアルコキシ化グリセリンを含むことを特徴とする請求項１〜１６のいずれか１項に記載の発射体。
【請求項１８】
該組成物が約９０〜１００質量％のアルコキシ化グリセリンを含むことを特徴とする請求項１〜１７のいずれか１項に記載の発射体。
【請求項１９】
該組成物が、さらに、染料、増粘剤、香料、グリセリン、密度ビルダー、界面活性剤、フィラー、ポリエチレングリコールまたはそれらの混合物を含むことを特徴とする請求項１〜１８のいずれか１項に記載の発射体。
【請求項２０】
充填組成物を含む発射体であって、該組成物が約１５〜１００質量％のアルコキシ化グリセリン、約５質量％未満の染料、約３質量％未満のグリセリン、約５質量％未満の水、約４質量％未満の増粘剤、約８５質量％未満のＰＥＧ、および１質量％未満のフィラーを含むことを特徴とする発射体。
【請求項２１】
アルコキシ化グリセリンが−４０℃より高い温度において実質的に液体の状態にあることを特徴とする請求項１〜２０のいずれか１項に記載の発射体。
【請求項２２】
アルコキシ化グリセリンが−３０℃より高い温度において実質的に液体の状態にあることを特徴とする請求項１〜２０のいずれか１項に記載の発射体。
【請求項２３】
アルコキシ化グリセリンが−２５℃より高い温度において実質的に液体の状態にあることを特徴とする請求項１〜２０のいずれか１項に記載の発射体。
【請求項２４】
アルコキシ化グリセリンの流動点が約−２０〜−４０℃であることを特徴とする請求項１〜２３のいずれか１項に記載の発射体。
【請求項２５】
アルコキシ化グリセリンの流動点が約−２５〜−４０℃であることを特徴とする請求項１〜２３のいずれか１項に記載の発射体。
【請求項２６】
アルコキシ化グリセリンの流動点が約−３０〜−４０℃であることを特徴とする請求項１〜２３のいずれか１項に記載の発射体。
【請求項２７】
アルコキシ化グリセリンの粘度が４０℃において約７５〜８００センチストークスであることを特徴とする請求項１〜２６のいずれか１項に記載の発射体。
【請求項２８】
アルコキシ化グリセリンの粘度が４０℃において約７５〜１５０センチストークスであることを特徴とする請求項１〜２６のいずれか１項に記載の発射体。
【請求項２９】
アルコキシ化グリセリンの粘度が４０℃において約８５〜１４０センチストークスであることを特徴とする請求項１〜２６のいずれか１項に記載の発射体。
【請求項３０】
アルコキシ化グリセリンの分子量が約１３０〜１０００であることを特徴とする請求項１〜２９のいずれか１項に記載の発射体。
【請求項３１】
アルコキシ化グリセリンの分子量が約１３０〜６００であることを特徴とする請求項１〜２９のいずれか１項に記載の発射体。
【請求項３２】
アルコキシ化グリセリンの分子量が約１７５〜４００であることを特徴とする請求項１〜２９のいずれか１項に記載の発射体。
【請求項３３】
エトキシ化グリセリンが１：２．４〜１：６．４のグリセリン：エチレンオキシドモル比を有し、そして、該組成物が、−３０〜−４０℃の流動点、約１７５〜約４００の分子量、および４０℃において８５〜１４０センチストークスの粘度を有することを特徴とする請求項１１〜１４のいずれか１項に記載の発射体。
【請求項３４】
該組成物がさらに顔料を含むことを特徴とする請求項１〜３３のいずれか１項に記載の発射体。
【請求項３５】
ペイントボールである請求項１〜３４のいずれか１項に記載の発射体。
【請求項３６】
該組成物が、さらに、野生生物管理におけるフィールドまたは匂いマーカーを含むことを特徴とする請求項１〜３４のいずれか１項に記載の発射体。
【請求項３７】
該組成物がさらに悪臭化合物を含むことを特徴とする請求項１〜３４のいずれか１項に記載の発射体。
【請求項３８】
アルコキシ化グリセリンを含む軍事演習または非致死性兵器。
【発明の詳細な説明】
【技術分野】
【０００１】
本発明は、アルコキシ化グリセリンを含む充填組成物（fill composition）を含む発射体（projectile）に関する。本発明は、また、新規充填組成物の種々の用途に関する。
【背景技術】
【０００２】
樹木用のフィールド・マーカーからレクリエーション用「ペイントボール」スポーツ活動に及ぶ用途において発射体として使用するための適切な標示物質（marking materials）を含むカプセル剤は、当技術分野においてよく知られている（米国特許第３，８６１，９４３号明細書、米国特許第４，６３４，６０６号明細書、米国特許第４，６５６，０９２号明細書、米国特許第５，３９３，０５４号明細書、米国特許第５，８８５，６７１号明細書、米国特許第６，５３０，９６２号明細書、欧州特許第０７８６６４１号明細書）。そのようなカプセル発射体用の初期の充填組成物は染料のみからなっていた。しかし、米国特許第３，８６１，９４３号明細書に開示されているように、そのような発射体は、染料とカプセルの不適合性を含む重大な欠点を持っていた。ポリエチレングリコール（ＰＥＧ）を主成分とする充填組成物は、ＰＥＧが、一般に、染料および他の充填成分の両方と適合性があり、またカプセルとも適合性があるという事実によりそのようなカプセル剤の実際的使用において進歩を示した。１つの配合物は、この用途に最適な粘度に達するために、液体のＰＥＧ（分子量６００未満）と固体のＰＥＧ（分子量６００超）のブレンドを使用することを含む（米国特許第５，３９３，０５４号明細書）。この手法の欠点は、液体のＰＥＧと混合する前に、固体のＰＥＧを溶融しなければならないことである。これは、処理時間および費用の増加をもたらす。さらに、このように製造された充填組成物は、比較的高い温度で凍結し、その結果、カプセルの大きさが変化するという問題があった。米国特許第５，８８５，６７１号明細書に、ＰＥＧ３００を主成分とするペイントボール充填組成物が紹介された。この充填物質は、充填物の製造に必要な処理がより少ないという点において先行技術に対し改善を示した。それは、適切な充填物粘度を達成するために粘度調整剤または増粘剤を用い、そしてそれは以前に報告された充填組成物よりもよい寒冷気候特性も有していた。大豆油を主成分とする別の充填配合物が、ＰＥＧ系充填物より安価な充填物を製造するために紹介された（米国特許第６，５３０，９６２号明細書）。しかし、大豆油充填組成物は、おそらく劣った性能と生分解性のために、広くは受け入れられていない。
【発明の概要】
【発明が解決しようとする課題】
【０００３】
したがって、それほど高価でないが、ＰＥＧ系充填組成物と同等のまたはそれより優れた性能特性を与えることができる、発射体に使用するのに適した充填物質および組成物に対するニーズがある。
【課題を解決するための手段】
【０００４】
本発明は、アルコキシ化グリセリンを含む充填組成物を含む発射体に関する。発射体は、ゼラチン、ポリスチレン、ポリオレフィンまたはそれらの混合物で作ることができる。アルコキシ化グリセリンはグリセリンとアルキレンオキシドの反応生成物であることができる。１つの実施態様においては、アルコキシ化グリセリンはグリセリンとアルキレンオキシドの触媒反応生成物である。１つの限定的でない例においては、アルコキシ化グリセリンはグリセリンとアルキレンオキシドの反応生成物であり、その反応は、ＮａＯＨ、ＫＯＨ、二金属シアン化物またはそれらの混合物のうちの１種によって触媒される。
【０００５】
出発物質グリセリンは未精製のものであってもよいし精製されていてもよい。１つの実施態様においては、グリセリンはバイオディーゼルプロセスの副産物から得られる。
【０００６】
他の反応出発物質アルキレンオキシドは、ａ）エチレンオキシド、プロピレンオキシドまたはブチレンオキシドのうちの１種であってもよいし、ｂ）エチレンオキシド、プロピレンオキシドおよびブチレンオキシドの任意の組合わせの混合物であってもよい。
【０００７】
反応生成物アルコキシ化グリセリンは、グリセリン：アルキレンオキシドのモル比が約１：１〜約１：２０である。１つの実施態様においては、グリセリン：アルキレンオキシドのモル比は約１：１〜約１：１０である。別の実施態様においては、グリセリン：アルキレンオキシドのモル比は約１：２〜約１：１０である。
【０００８】
１つの非限定的な例においては、アルコキシ化グリセリンは、グリセリン：エチレンオキシドのモル比が約１：２〜約１：７のエトキシ化されたグリセリンである。別の例においては、グリセリン：エチレンオキシドのモル比は約１：２．４〜１：６．４である。別の例においては、グリセリン：エチレンオキシドのモル比は約１：４．４である。
【０００９】
発射体用充填組成物は、アルコキシ化グリセリンを約１５〜１００質量％、好ましくは約５０〜１００質量％、より好ましくは約７５〜１００質量％、そして最も好ましくは約９０〜１００質量％含む。
【００１０】
発射体充填組成物は、さらに、染料、増粘剤、香料、グリセリン、密度ビルダー、界面活性剤、フィラー、ポリエチレングリコールまたはそれらの混合物を含んでもよい。１つの実施態様においては、充填組成物は、約１５〜１００質量％のアルコキシ化グリセリン、約５質量％未満の染料、約３質量％未満のグリセリン、約５質量％未満の水、約４質量％未満の増粘剤、約８５質量％未満のＰＥＧ、および１質量％未満のフィラーを含む。
【００１１】
アルコキシ化グリセリンは、−４０℃より高い温度で実質的に液体の状態にある。１つの実施態様においては、アルコキシ化グリセリンは、−３０℃より高い温度で実質的に液体の状態にある。別の実施態様においては、アルコキシ化グリセリンは、−２５℃より高い温度で実質的に液体の状態にある。
【００１２】
アルコキシ化グリセリンの流動点は、通常、約−２０〜−４０℃である。１つの実施態様においては、アルコキシ化グリセリンの流動点は約−２５〜−４０℃である。別の実施態様においては、アルコキシ化グリセリンの流動点は約−３０〜−４０℃である。
【００１３】
アルコキシ化グリセリンの粘度は、通常、４０℃において約７５〜８００センチストークスである。１つの実施態様においては、アルコキシ化グリセリンの粘度は、４０℃において約７５〜１５０センチストークスである。別の実施態様においては、アルコキシ化グリセリンの粘度は、４０℃において約８５〜１４０センチストークスである。
【００１４】
アルコキシ化グリセリンの分子量は通常約１３０〜１０００である。１つの実施態様においては、アルコキシ化グリセリンの分子量は約１３０〜６００である。別の実施態様においては、アルコキシ化グリセリンの分子量は約１７５〜４００である。
【００１５】
さらに別の実施態様においては、発射体は、グリセリン：エチレンオキシドのモル比が１：２．４〜１：６．４、流動点が−３０〜−４０℃、分子量が約１７５〜約４００、そして粘度が４０℃において８５〜１４０センチストークスのエトキシ化グリセリン充填物質を含む。
【００１６】
本発明の充填組成物は、さらに、顔料、野生生物管理で使用されるフィールドまたは匂いマーカー、および悪臭化合物を含んでもよい。それはペイントボール用の充填物質として使用することができる。
【００１７】
ペイントボール用の充填物質として使用されることに加えて、本発明の新規組成物におけるアルコキシ化グリセリンの使用は、他の分野において用途を見いだすことができる。たとえば、アルコキシ化グリセリンは、化粧品用途において保湿剤として、油田用途において掘削泥水または絶縁流体の一部として、農薬配合物において、クリーニング製品、パーソナルケア製品において、または飼料保湿剤の一部として、使用することができる。それは、また、軍事演習における任意の装置において、または非致死性兵器の一部として使用されてもよい。
【図面の簡単な説明】
【００１８】
【図１】エトキシ化グリセリンの４０℃における粘度を、種々の分子量のＰＥＧの粘度と比較して、示す。
【図２】３０℃〜１００℃の範囲の温度における３種の異なるグリセリンエトキシラートおよびＰＥＧ３００の粘度を示す。
【発明を実施するための形態】
【００１９】
本発明を、さらに、以下の詳細な説明において、本発明の実施態様の非限定的の例としての注目すべき複数の図面（図面中の類似の参照数字は複数の図を通じて類似の部分を表わす。）を参照して、説明される。
【００２０】
次の詳細な説明において、本発明の特定の実施態様はその好ましい実施態様に関して記載される。しかしながら、次の説明が本技術の特定の実施態様または特定の使用に特有である限りにおいて、それは単に例証となることを、そして単に典型的な実施態様の簡潔な説明を提供することを目的としている。したがって、本発明は以下に記述する特定の実施態様に限定されるものではなく、むしろ本発明は添付された特許請求の範囲の真の範囲内に入るすべての代替、変形、および均等物を含む。
【００２１】
ここで用いるときは、
別段の言及がない限り、百分率（％）はすべて、組成物の全質量を基準とする質量％である。
「分子量」は、ゲルパーミエーションクロマトグラフィー（ＧＰＣ）によって、次の条件を用いて、測定される。試料は、室温でテトラヒドロフラン中にそれを溶解することによって調製される。ＧＰＣカラムはポリマー・ラボ・ミックスＥ（Polymer Labs Mixed E）であり、検出器はウォーターズ４１０示差屈折計（Waters 410 Differential Refractometer）である。溶離剤はテトラヒドロフランであり、流量は１ｍＬ／分である。カラム温度は４０℃である。試料濃度は０．２５質量％であり、注入体積は１５０μＬである。検量線の作成はポリマー・ラボラトリーズＰＥＧ  １０標準（Polymer Laboratories PEG 10 Calibrants）を用いて行なわれる。
「粘度」はＡＳＴＭ法Ｄ−７０４２を用いて測定される。
「流動点」はＡＳＴＭ法Ｄ−９７を用いて測定される。
【００２２】
本発明は、ペイントボール、非致死性兵器、および発射体が用いられる他の多くの用途のような用途において、従来のＰＥＧの使用に取って代わる新規な充填組成物を提供する。新規な組成物はアルコキシ化されたグリセリン、すなわちトリオールを含む。本発明のために作られたアルコキシ化グリセリンの分子量は、典型的には１３０〜１０００、好ましくは１３０〜６００、より好ましくは１７５〜４００である。アルコキシ化グリセリンは、通常、グリセリンとアルキレンオキシドの反応によって作ることができる。そのような反応は、通常、ＮａＯＨ、ＫＯＨ、二金属シアン化物またはそれらの混合物のうちの１種によって触媒される。
【００２３】
アルコキシ化グリセリンを作るために、精製グリセリンを使用してもよいし、未精製グリセリンを使用してもよい。本発明の１つの実施態様においては、バイオディーゼルプロセスの副産物から得られたグリセリンが、アルキレンオキシドと反応させるために使用される。アルキレンオキシドは、典型的にはａ）エチレンオキシド、プロピレンオキシドまたはブチレンオキシドのうちの１種であってもよいし、ｂ）エチレンオキシド、プロピレンオキシドおよびブチレンオキシドの任意の組合わせの混合物であってもよい。
【００２４】
典型的には、アルコキシ化グリセリンは、グリセリン：アルキレンオキシドのモル比が約１：１〜約１：２０、好ましくは約１：１〜約１：１０、より好ましくは約１：２〜約１：１０である。
【００２５】
たとえば、本発明の１つの実施態様においては、エチレンオキシド（「ＥＯ」）は、下に示されるように、グリセリンと反応させてエトキシ化グリセリンを作るために使用される。
【００２６】
【化１】
2009545720.tif 000003
【００２７】
この反応において、ｎは、任意の特定用途において望まれる粘度および／または分子量に依存して、０．３〜６．７であることができる。反応は約１３０〜１４０℃で行なうことができる。残存触媒は、通常、酢酸または可溶塩を生成する他の有機酸を加えることによって中和することができる。反応した残存触媒（たとえば可溶性酢酸カリウム塩）は、反応生成物の中に残されてもよく、濾過は必要ではない。その代わりに、燐酸または硫酸のような酸を使用して、不溶性の触媒の塩を形成し、引き続いて濾過してもよい。
【００２８】
本発明の１つの実施態様においては、エトキシ化グリセリンは、グリセリン：エチレンオキシドのモル比が約１：２〜約１：７である。別の実施態様においては、グリセリン：エチレンオキシドのモル比は約１：２．４〜約１：６．４である。さらに別の実施態様においては、グリセリン：エチレンオキシドのモル比は約１：４．４である。
【００２９】
本発明において、充填組成物は、典型的には、約１５〜１００質量％、好ましくは約５０〜１００質量％、より好ましくは７５〜１００質量％、最も好ましくは約９０〜１００質量％のアルコキシ化グリセリンを含む。
【００３０】
用途によって、充填組成物は、また、染料または顔料、増粘剤、香料、グリセリン、悪臭化合物、密度ビルダー、野生生物管理におけるフィールドまたは匂いマーカー、界面活性剤、フィラー、ポリエチレングリコールまたはそれらの混合物のような他の成分を含んでもよい。もし必要ならば、さらに費用を下げ、そして粘度を減少させるために、水を充填組成物に加えてもよい。本発明の充填組成物は、また、ＰＥＧと適合性があり、そして充填物質において使用されるＰＥＧの量を減らし、それにより充填物質の総費用を減少させるために、ＰＥＧ物質とのブレンドとして使用してもよい。
【００３１】
本発明の１つの実施態様においては、充填組成物は、約１５〜１００質量％のアルコキシ化グリセリン、約５質量％未満の染料、約３質量％未満のグリセリン、約５質量％未満の水、約４質量％未満の増粘剤、約８５質量％未満のＰＥＧ、および１質量％未満のフィラーを含む。
【００３２】
本発明において使用されるアルコキシ化グリセリンは、−４０℃より高い温度で実質的に液体の状態にある。１つの実施態様においては、それは−３０℃より高い温度で実質的に液体の状態にある。別の実施態様においては、それは、−２５℃より高い温度で実質的に液体の状態にある。
【００３３】
本発明において使用されるアルコキシ化グリセリンは、約−２０〜−４０℃の流動点を有する。１つの実施態様においては、流動点は約−２５〜−４０℃である。別の実施態様においては、流動点は約−３０〜−４０℃である。
【００３４】
本発明において使用されるアルコキシ化グリセリンの粘度は、通常、４０℃で約７５〜８００センチストークスである。１つの実施態様においては、粘度は４０℃で約７５〜１５０センチストークスである。別の実施態様においては、粘度は４０℃で約８５〜１４０センチストークスである。
【００３５】
本発明において使用されるアルコキシ化グリセリンの分子量は、通常、約１３０〜１０００である。１つの実施態様においては、それは約１３０〜６００である。別の実施態様においては、それは約１７５〜４００である。
【実施例】
【００３６】
本発明は、さらに、次の非限定的な実施例によって実証される。
【００３７】
実施例１
出発物質として精製グリセリンを使用し、異なる量（ｎ）のＥＯでエトキシ化したグリセリンの４つの試料を調製し、それらの特性を測定した。試料は、４０℃における粘度および流動点について試験した。比較のために、ＰＥＧ３００について同一の特性を含めた。結果のいくつかを表１にまとめて示す。
【００３８】
【表１】
2009545720.tif 000004
【００３９】
図１に示されるように、エトキシ化グリセリンの粘度は、同一の分子量のＰＥＧの粘度よりも大きい。このことは、グリセリンエトキシラートがＰＥＧに対して最も経済的な利点を示す、分子量が比較的低い場合に、特に真実である。図２は、種々の温度において、ＰＥＧ３００と比較した、比較的低分子量のグリセリンエトキシラートの粘度を示す。エトキシ化グリセリンの低温粘度はＰＥＧ３００よりも著しく大きいことが注目される。このために、エトキシ化グリセリン系充填組成物において、粘度調整剤を減らしまたは省くことができ、したがって費用を削減することができる。これらの増加した粘度においてでさえ、エトキシ化グリセリンは実質的に液体の状態にある。温度が高くなると粘度が収斂することもまたは重要な意義を持ち、それはさらに、より高粘度のエトキシ化グリセリンは、貯蔵および加工に典型的な温度において、ＰＥＧと比較して、加工上の問題を示さないであろうという見解を支持する。
【００４０】
実施例２
本発明のいくつかのエトキシ化グリセリン系充填組成物を調製し、上述の種々の用途の実施可能性を実証する。エトキシ化グリセリン系充填組成物のペイントボールを、商業的に市販されている充填組成物と比較した。
【００４１】
【表２】
2009545720.tif 000005
【００４２】
前記充填組成物のペイントボール（本発明の試料Ａ、ＢまたはＣ）が商用ペイントボール充填物と同等またはそれより優れた性能特性を与えることが実証される。
【００４３】
実施例３
本発明の充填組成物は、所望の性能特性を達成するために、および／または生成物の原価を下げるために、他の成分、たとえばＰＥＧを含んでもよい。たとえば、アルコキシ化グリセリン系物質は次の組成物を使用して作ることができる。
【００４４】
【表３】
2009545720.tif 000006
【００４５】
【表４】
2009545720.tif 000007
【００４６】
【表５】
2009545720.tif 000008
【００４７】
【表６】
2009545720.tif 000009
【００４８】
【表７】
2009545720.tif 000010
【００４９】
【表８】
2009545720.tif 000011
【００５０】
【表９】
2009545720.tif 000012
【００５１】
【表１０】
2009545720.tif 000013
【００５２】
実施例４
発射体シェルと充填物質の適合性は、発射体の性能にとってきわめて重要である。シェルの親水性成分と充填物質の間で平衡が達成されるであろう。グリセリンおよび水のようなこれらの親水性成分は、シェル可塑剤の役目を果たし、その成分が親水性であればあるほど、それはシェルを可塑化する効果が大きくなる一般的傾向がある。発射体シェルは硬すぎなくてもいけないし柔らかすぎてもいけないので、充填物質の親水性が非常に重要であることは明白である。充填物中身が、下記試料Ａの場合のように、親水性でありすぎる場合は、シェルは柔らかくなりすぎる。充填物質が十分に親水性でない場合は、下記試料Ｃの場合のように、シェルから充填物へグリセリンのような可塑剤の移行があるので、シェルは脆くなりすぎる。
【００５３】
実施例２の試料Ｎｏ．Ａ、ＢおよびＣを３つのゼラチンシェルに充填し、その結果を下表にまとめて示す。
【００５４】
【表１１】
2009545720.tif 000014
【００５５】
したがって、試料Ｂがゼラチンシェルと最も良い適合性を有すると結論される。
【００５６】
ペイントボール用の充填物質として使用されることに加えて、本発明の新規組成物におけるアルコキシ化グリセリンの使用は、他の分野において用途を見いだすことができる。たとえば、アルコキシ化グリセリンは、保湿剤として化粧品配合物において、油田用途における掘削泥水または絶縁流体の一部として、農薬配合物において、クリーニング製品、パーソナルケア製品において、または飼料保湿剤の一部として使用することができる。それは、また、軍事演習における任意の装備において、または非致死性兵器の一部として、使用することもできる。
【００５７】
本発明は種々の修正や代替が可能であるけれども、上述の典型的な実施態様は実施例として示された。しかしながら、本発明がここに開示された特定の実施態様に限定されるものではないことは再び理解されるべきである。実に、本発明の技術は、次の特許請求の範囲によって定められる発明の精神および範囲内にあるすべての修正物、均等物および代替物を包含する。
【図１】
2009545720.tif 000015
【図２】
2009545720.tif 000016
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
充填組成物を含む発射体であって、該組成物がアルコキシ化グリセリンを含むことを特徴とする発射体。
【請求項２】
ゼラチン、ポリスチレン、ポリオレフィンまたはそれらの混合物から構成される請求項１に記載の発射体。
【請求項３】
アルコキシ化グリセリンがグリセリンとアルキレンオキシドの反応生成物であることを特徴とする請求項１または２に記載の発射体。
【請求項４】
アルコキシ化グリセリンがグリセリンとアルキレンオキシドの触媒反応生成物であることを特徴とする請求項１〜３のいずれか１項に記載の発射体。
【請求項５】
アルキレンオキシドが、ａ）エチレンオキシド、プロピレンオキシドまたはブチレンオキシドのうちの１種、またはｂ）エチレンオキシド、プロピレンオキシドおよびブチレンオキシドの任意の組合わせの混合物であることを特徴とする請求項３または４に記載の発射体。
【請求項６】
アルコキシ化グリセリンが約１：１〜約１：２０のグリセリン：アルキレンオキシドモル比を有することを特徴とする請求項１〜５のいずれか１項に記載の発射体。
【請求項７】
アルコキシ化グリセリンがエトキシ化グリセリンであることを特徴とする請求項１〜６のいずれか１項に記載の発射体。
【請求項８】
充填組成物を含む発射体であって、該組成物が約１５〜１００質量％のアルコキシ化グリセリン、約５質量％未満の染料、約３質量％未満のグリセリン、約５質量％未満の水、約４質量％未満の増粘剤、約８５質量％未満のＰＥＧ、および１質量％未満のフィラーを含むことを特徴とする発射体。
【国際調査報告】
2009545720.tif 000017
2009545720.tif 000018
2009545720.tif 000019
2009545720.tif 000020
2009545720.tif 000021